(57)【要約】【課題】災害における特定の事象に関して、見過ごされることなくメッセージの主題として提示してメッセージ交換を促すネットワーク・サービスを提供する。【解決手段】情報取得装置から情報を受信する送受信部２０３と、情報取得装置および情報の内容に関連付けられたユーザのグループを管理するグループ管理部２０２と、端末装置から閲覧可能なメッセージを管理するメッセージ管理部２０８と、情報取得装置から災害に関する特定の情報を取得した場合に、メッセージをまとめて表示させるためのスレッドをかかる特定の情報に対応付けて設定するスレッド設定部２０６と、このスレッド設定部２０６により設定されたスレッドが対応する特定の情報に関連付けられたグループのユーザにスレッドが設定されたことを通知する通知部２１１と、を備える。【選択図】図２
2020046865.tif 000002
【特許請求の範囲】
【請求項１】
情報取得装置から情報を受信する受信手段と、
前記情報取得装置および前記情報の内容に関連付けられたユーザのグループを管理するグループ管理手段と、
端末装置から閲覧可能なメッセージを管理するメッセージ管理手段と、
前記情報取得装置から災害に関する特定の情報を取得した場合に、前記メッセージをまとめて表示させるためのスレッドを当該特定の情報に対応付けて設定するスレッド設定手段と、
前記スレッド設定手段により設定された前記スレッドが対応する前記特定の情報に関連付けられた前記グループのユーザに当該スレッドが設定されたことを通知する通知手段と、
を備えることを特徴とする、災害報知システム。
【請求項２】
前記スレッド設定手段は、設定した前記スレッドに、前記情報取得装置および前記情報の内容に基づいて特定される位置情報を付加することを特徴とする、請求項１に記載の災害報知システム。
【請求項３】
ネットワーク上のサイトを前記情報取得装置および前記情報の内容に関連付けて管理するサイト管理手段をさらに備え、
前記スレッド設定手段は、当該スレッド設定手段により設定された前記スレッドに、当該スレッドが対応する前記特定の情報に関連付けられた前記サイトへのリンクを設定することを特徴とする、請求項１または請求項２に記載の災害報知システム。
【請求項４】
前記スレッド設定手段は、リンクを設定した前記サイトから予め定められた情報を取得し、設定した前記スレッドに付加することを特徴とする、請求項３に記載の災害報知システム。
【請求項５】
外部装置との間でやり取りされたメッセージを表示する表示手段と、
前記メッセージをまとめて表示するためのスレッドであって、災害に関する特定の情報に対応付けてサーバにおいて自動設定され、当該特定の情報に基づいて特定される位置情報が付加されたスレッドの情報を取得するスレッド情報取得手段と、
前記スレッド情報取得手段から取得したスレッドの情報に基づいて、前記表示手段に当該スレッドおよび前記位置情報を表示させ、当該スレッドに関連付けてやり取りされたメッセージを当該スレッドに表示させる表示制御手段と、
を備えることを特徴とする、端末装置。
【発明の詳細な説明】
【技術分野】
【０００１】
本発明は、災害報知システムおよび端末装置に関する。
【背景技術】
【０００２】
災害時に、災害に関する情報をやり取りする種々のシステムがある。下記の特許文献に記載の従来技術は、災害発生が検知された場合に、予め設定されている条件に該当するメッセージ情報や災害に関連するメッセージ情報を判別し、判別したメッセージ情報の表示様態を変更し、たとえばタブにより分別表示する。また、災害時連絡用に特化した通信サービスではなく、電子掲示板やＳＮＳ（Social Networking Service）等の一般のネットワーク・サービスを用いて災害に関連するメッセージのやり取りが行われる場合がある。
【先行技術文献】
【特許文献】
【０００３】
【特許文献１】特開２０１３−１９７６８４号公報
【発明の概要】
【発明が解決しようとする課題】
【０００４】
一般のネットワーク・サービスを用いて災害に関連するメッセージ交換を行う場合、ネットワーク・サービスのユーザが気づかなかった事象や、話題にされなかった事象は話題として提供されず、見過ごされてしまう。
【０００５】
本発明は、災害における特定の事象に関して、見過ごされることなくメッセージの主題として提示してメッセージ交換を促すネットワーク・サービスを提供することを目的とする。
【課題を解決するための手段】
【０００６】
上記の目的を達成する本発明の災害報知システムは、情報取得装置から情報を受信する受信手段と、情報取得装置および情報の内容に関連付けられたユーザのグループを管理するグループ管理手段と、端末装置から閲覧可能なメッセージを管理するメッセージ管理手段と、情報取得装置から災害に関する特定の情報を取得した場合に、メッセージをまとめて表示させるためのスレッドをかかる特定の情報に対応付けて設定するスレッド設定手段と、このスレッド設定手段により設定されたスレッドが対応する特定の情報に関連付けられたグループのユーザにスレッドが設定されたことを通知する通知手段と、を備えることを特徴とする。
より好ましくは、スレッド設定手段は、設定したスレッドに、情報取得装置および情報の内容に基づいて特定される位置情報を付加することを特徴とする。
さらに好ましくは、本発明の災害報知システムは、ネットワーク上のサイトを情報取得装置および情報の内容に関連付けて管理するサイト管理手段をさらに備え、スレッド設定手段は、スレッド設定手段により設定されたスレッドに、このスレッドが対応する特定の情報に関連付けられたサイトへのリンクを設定することを特徴とする。
さらに好ましくは、スレッド設定手段は、リンクを設定したサイトから予め定められた情報を取得し、設定したスレッドに付加することを特徴とする。
また、上記の目的を達成する他の本発明は、外部装置との間でやり取りされたメッセージを表示する表示手段と、メッセージをまとめて表示するためのスレッドであって、災害に関する特定の情報に対応付けてサーバにおいて自動設定され、かかる特定の情報に基づいて特定される位置情報が付加されたスレッドの情報を取得するスレッド情報取得手段と、このスレッド情報取得手段から取得したスレッドの情報に基づいて、表示手段にスレッドおよび位置情報を表示させ、スレッドに関連付けてやり取りされたメッセージをかかるスレッドに表示させる表示制御手段と、を備えることを特徴とする、端末装置として実現される。
【発明の効果】
【０００７】
本発明は、災害に関する特定の情報が取得されたことに基づいてメッセージを交換するスレッドを機械的に設定することにより、かかる災害における特定の事象に関するメッセージ交換の場を提供し、特定の情報に関連付けられたユーザに報知する。これにより、かかる特定の事象に関して、見過ごされることなくメッセージの主題として提示してメッセージ交換を促すことができる。
【図面の簡単な説明】
【０００８】
【図１】本実施形態による災害報知システムの構成例を示す図である。
【図２】サイト提供サーバの機能構成を示す図である。
【図３】メッセージ投稿サーバの機能構成を示す図である。
【図４】端末装置の機能構成を示す図である。
【図５】メッセージ交換サイトのホーム画面の構成例を示す図である。
【図６】メッセージ交換サイトのメッセージ表示画面の構成例を示す図である。
【図７】メッセージ交換サイトのメッセージ表示画面の他の例を示す図である。
【図８】サイト提供サーバのスレッド設定時の動作を示すフローチャートである。
【図９】メッセージ投稿サーバによるメッセージの自動投稿時の動作を示すフローチャートである。
【発明を実施するための形態】
【０００９】
以下、添付図面を参照して、本発明の実施形態について詳細に説明する。
＜システム構成＞
図１は、本実施形態による災害報知システムの構成例を示す図である。災害報知システム１０は、情報取得装置１００と、サイト提供サーバ２００と、メッセージ投稿サーバ３００と、端末装置４００とを備える。情報取得装置１００とサイト提供サーバ２００およびメッセージ投稿サーバ３００、端末装置４００とサイト提供サーバ２００とは、それぞれネットワーク５００を介して接続されている。
【００１０】
ネットワーク５００は、各装置の間のデータ通信に用いられる通信ネットワークであれば、その種類は特に限定されず、例えばＬＡＮ（Local Area Network）、ＷＡＮ（Wide Area Network）、インターネット等として良い。データ通信に用いられる通信回線は、有線か無線かを問わず、これらを併用しても良い。また、ゲートウェイ装置やルータ等の中継装置を用い、複数のネットワークや通信回線を介して各装置を接続するように構成しても良い。
【００１１】
＜情報取得装置の構成＞
情報取得装置１００は、環境や対象物の状態に関する各種の情報を取得する装置である。情報取得装置１００は、災害に関して予め定められた特定の事象が発生したか否かを判断するための情報を取得する。情報取得装置１００としては、例えば、各種のセンサ、カメラ、マイクロフォン等の機器が用いられる。情報取得装置１００は、取得した情報をサイト提供サーバ２００およびメッセージ投稿サーバ３００に送信するための通信機能を備える。また、詳しくは後述するが、情報取得装置１００は、不揮発性メモリ等の記憶手段を備え、情報取得装置１００により検知しようとする事象に関連する位置情報を保持している。そして、取得情報と共に位置情報をサイト提供サーバ２００およびメッセージ投稿サーバ３００に送信する。なお、図１に示す構成例では情報取得装置１００が直接、ネットワーク５００を介してサーバ２００、３００と接続されているが、いわゆるエッジサーバ等の中継サーバを介在させ、この中継サーバにより各情報取得装置１００で取得した情報を収集し、サイト提供サーバ２００やメッセージ投稿サーバ３００に送信する構成としても良い。この場合、検知しようとする事象に関連する位置情報を中継サーバに保持しておき、中継サーバが、情報取得装置１００により取得した情報と共に、サーバ２００、３００へ送信するようにしても良い。
【００１２】
情報取得装置１００としてのセンサは、対象物や環境から様々な情報を物理量として検出する検出装置である。センサとしては、検出しようとする情報の種類に応じて様々な種類のものを用いて良い。例えば、温度センサ、湿度センサ、照度センサ、速度センサ、振動センサ等が単体で、あるいは組み合わせて用いられる。これにより、検知対象として設定された場所や物品に関して、温度変化、水量変化、破損や故障の有無等の様々な情報が取得される。情報取得装置１００としてのセンサの具体的な構成は、情報を取得しようとする対象や取得しようとする情報の種類、検知しようとする事象の種類等に応じて特定される。センサにより取得された情報は、デジタル・データとしてサイト提供サーバ２００およびメッセージ投稿サーバ３００へ送られる。
【００１３】
情報取得装置１００としてのカメラは、情報としての画像を取得する撮像装置である。カメラにより取得された画像は、デジタル・データとしてサイト提供サーバ２００およびメッセージ投稿サーバ３００へ送られる。カメラにより取得される画像は、動画および静止画の何れであっても良く、撮影対象や取得しようとする情報の種類に応じて設定して良い。動画を取得する場合、動画フォーマットによる動画データの他、一定時間ごとに撮影された時系列の静止画データの集合を取得する構成としても良い。カメラにより取得された画像は、デジタル・データとしてサイト提供サーバ２００およびメッセージ投稿サーバ３００へ送られる。カメラとしては、撮像対象や使用環境に応じて種々の構成のものを用いて良い。例えば、固定カメラであっても良いし、可搬型のカメラ（ハンディ・カメラ）であっても良い。また、周囲の広い空間の画像を取得する広角カメラや全周カメラ、特定の対象物や場所を様々な角度で撮影する複数のカメラ群等を用いても良い。さらに、取得される画像のデータ形式に着目すれば、デジタル画像として画像を取得するデジタル・カメラであっても良いし、アナログ画像として画像を取得するアナログ・カメラであっても良い。アナログ・カメラの場合、アナログ画像として取得された画像は、デジタル・データに変換して出力される。情報取得装置１００としてのカメラの具体的な構成は、動画の収集が行われる環境や場面、使用可能な機器の制約等に応じて特定される。
【００１４】
情報取得装置１００としてのマイクロフォンは、情報としての音（音響情報）を収録する装置である。マイクロフォンとしては、収録しようとする場所や音響情報の種類等に応じて種々の特性や構成を有するものを用いて良い。例えば、人の音声や特定の対象物の作動音を収録する場合は、音声や作動音の音域に合わせた音域特性を有し、指向性の高いマイクロフォンが用いられる。また、ある程度の広さの領域に参集した人々の音声や環境音を収録する場合は、無指向性や指向性の低いマイクロフォンが用いられる。マイクロフォンにより収録された音響情報は、デジタル・データとしてサイト提供サーバ２００およびメッセージ投稿サーバ３００へ送られる。また、マイクロフォン自体の構成としては、固定マイクや集音マイク、強い指向性を持つマイクロフォン・アレイ等、様々な構成を取り得る。情報取得装置１００としてのマイクロフォンの具体的な構成は、収録が行われる環境や場面、使用可能な機器の制約等に応じて特定される。
【００１５】
＜サイト提供サーバの構成＞
サイト提供サーバ２００は、メッセージを投稿して情報をやり取りするメッセージ交換サイトを提供するサーバである。メッセージ交換サイトは、メッセージ交換を行うためのネットワーク・サービスを行うＷｅｂサイトである。サイト提供サーバ２００は、端末装置４００およびメッセージ投稿サーバ３００から投稿メッセージを受信し、例えばＨＴＭＬファイル等の文書ファイルに記録する。文書ファイルは、例えばチャットの表示ページや掲示板のようなＷｅｂページとして、端末装置４００に表示可能となる。
【００１６】
図２は、サイト提供サーバ２００の機能構成を示す図である。サイト提供サーバ２００は、サイト管理部２０１と、グループ管理部２０２とを備える。また、サイト提供サーバ２００は、送受信部２０３と、情報解析部２０４と、位置情報抽出部２０５と、スレッド設定部２０６とを備える。また、サイト提供サーバ２００は、メッセージ解析部２０７と、メッセージ管理部２０８と、事象関連情報取得部２０９と、リンク設定部２１０とを備える。また、サイト提供サーバ２００は、通知部２１１を備える。
【００１７】
サイト管理部２０１は、サイト提供サーバ２００が提供するメッセージ交換サイトを管理する。メッセージ交換サイトでは、端末装置４００およびメッセージ投稿サーバ３００から受信した投稿メッセージがスレッドごとにまとめられて提示される。サイト管理部２０１は、このスレッドごとのメッセージ提示ページ（例えばＷｅｂページ）を管理する。
【００１８】
グループ管理部２０２は、特定の設定条件に基づいて設定されるスレッドに対応付けられる端末装置４００（ユーザ）のグループを管理する。グループは、予めスレッドの設定条件に関連付けて、例えば管理テーブルに登録して管理される。スレッドの設定条件は、情報取得装置１００により取得された情報に基づいて定められる。スレッドの設定条件および設定手順の詳細は後述する。
【００１９】
送受信部２０３は、ネットワーク５００を介して情報取得装置１００、メッセージ投稿サーバ３００、端末装置４００と接続し、データ交換を行うネットワーク・インターフェイスである。
【００２０】
情報解析部２０４は、送受信部２０３により情報取得装置１００から受信した情報を解析し、スレッドの設定条件を満たすか否かを判断する。スレッドの設定条件は、情報取得装置１００により取得された情報に基づき、災害における特定の事象が発生したと判断されることである。具体的には、例えば、特定の事象として、河川等の特定の場所において、水位が予め定められた危険水位に達したことを検知するように設けられたセンサ（情報取得装置１００）から、危険水位に達したことを示す情報を受信したことをスレッドの設定条件とし得る。また、特定の事象として、対象建物の窓ガラスが破損したことを検知するように設けられたセンサ（情報取得装置１００）から、窓ガラスが破損したことを示す情報を受信したことをスレッドの設定条件とし得る。また、特定の事象として、対象機械の動作時に異音が発生したことを検知するように設けられたマイクロフォン（情報取得装置１００）から、異音が発生したことを示す情報を受信したことをスレッドの設定条件とし得る。なお、上記の例において、河川の水位の監視や対象建物の窓ガラスの破損等の特定の事象の検知に関しては、情報取得装置１００としての監視カメラで取得した画像に基づいて行っても良い。この場合、監視カメラで取得した画像に対して画像解析を行って、水位の変化や窓ガラスの状態を判断するようにしても良い。カメラで取得した画像に対して画像解析を行う場合、取得した画像を解析サーバへ送信し、画像解析を行った後に解析結果をサイト提供サーバ２００へ送るようにしても良い。
【００２１】
さらに説明すると、スレッドの設定条件は、実際には、予め定められた特定の情報取得装置１００から受信した情報の内容で定められる。すなわち、情報解析部２０４は、情報取得装置１００から受信した情報を解析し、予め定められた特定の情報取得装置１００からどのような情報を受信したかを特定する。ここで、スレッドの設定条件として設定される情報取得装置１００は、単一の装置に限定しない。検知しようとする事象が、複数の情報取得装置１００から得られる情報において特定のパターンや傾向を示すものであることもあり得る。例えば、地震が発生した場合には、ある程度の広さの領域に存在する建物の多くで振動が検知されるが、爆発事故等の場合には、その事故が発生した建物の付近の狭い範囲でのみ振動が検知される、というような特定のパターンがあり得る。そこで、複数の情報取得装置１００から得られる情報において特定のパターンや傾向を示すことをスレッドの設定条件としても良い。情報解析部２０４は、このようにして情報取得装置１００から受信した情報の内容を特定し、特定した内容がスレッドの設定条件に合致するか否かを判断する。
【００２２】
位置情報抽出部２０５は、送受信部２０３により情報取得装置１００から受信した情報を解析し、スレッドの設定条件に関連する位置情報を抽出する。ここで、位置情報により示される位置は、検知しようとする事象に関連付けて予め特定された位置である。すなわち、必ずしも情報を送信した情報取得装置１００の設置位置には限定しない。例えば、情報取得装置１００がカメラである場合、情報取得装置１００であるカメラ自体の位置ではなく、カメラが撮影している撮影対象の位置を事象に関連する位置とすることが適当である場合がある。また、複数の情報取得装置１００により得られた情報のパターンや傾向をスレッドの設定条件とする場合、事象は、複数の情報取得装置１００が設置されている一定の地域において発生すると考えられる。そのため、特定の情報取得装置１００の設置位置ではなく、複数の情報取得装置１００の設置位置を含む一定の広さの地域を事象に関連する位置とすることが適当と考えられる。このように、事象に関連する位置の情報は、検知しようとする事象に応じて予め定められており、各情報取得装置１００から取得情報と共に送られる。そして、位置情報抽出部２０５は、受信した情報からこの位置情報を抽出する。
【００２３】
スレッド設定部２０６は、情報解析部２０４による解析の結果、スレッドの設定条件を満足する場合に、その設定条件により特定される事象に関するスレッドを設定する。設定されたスレッドには、設定条件に係る事象を示す情報（例えばタイトル）が付加される。また、設定されたスレッドには、位置情報抽出部２０５により抽出された位置情報が付加される。また、設定されたスレッドには、設定条件に係る事象が発生したと判断するのに用いられた情報を送信した情報取得装置１００の識別情報を付加しても良い。設定されたスレッドは、サイト管理部２０１により管理される。
【００２４】
メッセージ解析部２０７は、メッセージ投稿サーバ３００や端末装置４００から受信した投稿メッセージを解析し、特定の情報を抽出する。抽出対象の情報としては、例えば、投稿先のスレッド、メッセージ・ファイルに付加されている投稿した装置や投稿者の識別情報、投稿日時、メッセージに記述されたリンク情報等が挙げられる。
【００２５】
メッセージ管理部２０８は、メッセージ投稿サーバ３００や端末装置４００から受信した投稿メッセージを、投稿先のスレッドごとに管理する。また、メッセージ管理部２０８は、メッセージ解析部２０７の解析により抽出された情報を、メッセージに関連付けて管理する。
【００２６】
事象関連情報取得部２０９は、上述した設定条件により特定される事象に関連する情報を取得する。事象に関連する情報は、事象ごとに個別に設定される。例えば、河川の水位に関する事象であれば、対象地域を管轄する防災センターや対象河川を管理する公共機関が発表する情報、対象建物の窓ガラスに関する事象であれば、対象建物の管理会社、テナントの会社や店舗等が発表する情報等である。これらの情報の発信元は、予め事象に対応付けて設定されている。したがって、特定の事象が発生し、これに基づいて事象に関するスレッドが設定されると、事象関連情報取得部２０９は、この事象に対応付けられた発信元に接続要求を行って、事象に関連する情報を取得する。また、特定の事象が発生し、これに基づいて事象に関するスレッドが設定された場合に、事象関連情報取得部２０９が情報の発信元へ事象の発生を報知し、発信元からサイト提供サーバ２００へ情報を送信させるようにしても良い。情報の発信元は、対応する事象に関連して設定されるスレッドのグループに含まれるユーザとして、グループ管理部２０２に管理されても良い。この場合、後述するように、事象の発生に伴ってスレッドが設定されると、スレッドに対応付けられたグループのユーザとして、情報の発信元へも通知が行われる。
【００２７】
リンク設定部２１０は、上述した設定条件により特定される事象に関連するサイト（関連サイト）へのリンクをスレッドに設定する。関連サイトは、事象ごとに予め設定されている。この関連サイトには、事象関連情報取得部２０９が情報を取得する情報の発信元が含まれても良いが、かかる発信元には限定されず、事象に関連する情報を有する種々のサイトが関連サイトとして設定される。
【００２８】
通知部２１１は、特定の事象が発生し、これに基づいて事象に関するスレッドが設定された場合に、このスレッドの設定条件である事象に対応付けられたグループに含まれるユーザに、事象に関するスレッドが設定されたことを通知する。通知は、グループのユーザにスレッドの設定を報知可能なものであれば良く、通知手段は限定されない。例えば、電子メールで通知を行っても良いし、サイト提供サーバ２００に管理されるメッセージの閲覧用のアプリケーション・ソフトウェアの機能として通知機能を設けても良い。
【００２９】
＜サイト提供サーバの構成＞
メッセージ投稿サーバ３００は、サイト提供サーバ２００が提供するメッセージ交換サイトにメッセージを自動投稿するサーバである。メッセージ投稿サーバ３００は、上述した設定条件により特定される事象を判断するのに用いられた情報取得装置１００から情報を取得し、取得した情報に基づいてメッセージを生成し、メッセージ交換サイトにおけるこの事象に関するスレッドに投稿する。
【００３０】
図３は、メッセージ投稿サーバ３００の機能構成を示す図である。メッセージ投稿サーバ３００は、送受信部３０１と、情報受け付け部３０２と、メッセージ生成部３０３と、投稿制御部３０４とを備える。
【００３１】
送受信部３０１は、ネットワーク５００を介して情報取得装置１００、サイト提供サーバ２００と接続し、データ交換を行うネットワーク・インターフェイスである。メッセージ投稿サーバ３００は、送受信部２０３により、情報取得装置１００から情報を受信し、サイト提供サーバ２００に投稿メッセージを送信する。
【００３２】
情報受け付け部３０２は、特定の情報取得装置１００から情報を受信する。そして、情報受け付け部３０２は、受信した情報を解析し、投稿メッセージを生成するか否かを判断する。投稿メッセージの生成条件は、情報取得装置１００から受信した情報が、特定の事象に関する情報として予め定められた情報であり、その事象に関するスレッドが設定されていることである。具体的には、例えば、河川等の特定の場所で水位が予め定められた危険水位に達したという事象に基づいてスレッドが設定された場合に、その場所の水位がさらに一定量まで上昇したことを示す情報や、反対に一定量まで下降したことを示す情報を受信したことを投稿メッセージの生成条件とし得る。また、対象建物の窓ガラスが破損したという事象に基づいてスレッドが設定された場合に、その対象建物においてさらに他の被害や事故が発生したことを示す情報を受信したことを投稿メッセージの生成条件とし得る。その他、様々な情報を、スレッドの設定条件となる事象に関連する情報として設定し、投稿メッセージの生成条件として良い。なお、特定の事象に関するスレッドは、サイト提供サーバ２００により自動設定されたスレッドには限定されない。該当する事象に関してユーザによりスレッドが設定されている場合は、投稿メッセージの生成条件を満たすとして良い。該当する事象に関するスレッドか否かの判断は、例えば、スレッドのタイトルや、スレッドに付加された位置情報等に基づいて判断される。
【００３３】
メッセージ生成部３０３は、情報受け付け部３０２が投稿メッセージの生成条件を満足すると判断した場合に、情報取得装置１００から受信した情報に基づき、投稿メッセージを生成する。例えば、河川等の水位がスレッド設定条件の水位からさらに上昇したという生成条件を満足した場合、メッセージ生成部３０３は、水位がさらに上昇して危険が増したことを示す投稿メッセージを生成する。また、河川等の水位がスレッド設定条件の水位から一定量低下したという生成条件を満足した場合、メッセージ生成部３０３は、水位が低下したため危険度が低下したことを示す投稿メッセージを生成する。このように、投稿メッセージとしては、設定された設定条件および報知しようとする内容に応じて様々な種類のメッセージを生成し得る。投稿メッセージにおけるメッセージ文の具体的内容は、情報受け付け部３０２により判断される投稿メッセージの生成条件に応じて、予め定めておいて良い。例えば、メッセージ生成部３０３は、ある投稿メッセージに関する生成条件を満足すると、該当する投稿メッセージの雛形文を用い、日時等の個別情報を付加して投稿メッセージとする。
【００３４】
投稿制御部３０４は、メッセージ生成部３０３により生成された投稿メッセージを、投稿メッセージの生成条件により特定されるスレッドを投稿先とし、送受信部３０１を制御してサイト提供サーバ２００へ送信する。送信される投稿メッセージには、投稿者がメッセージ投稿サーバ３００であることを示す識別情報が付加される。投稿メッセージは、サイト提供サーバ２００において、該当するスレッドに対応付けて管理される。
【００３５】
＜端末装置の構成＞
端末装置４００は、サイト提供サーバ２００が提供するメッセージ交換サイトにアクセスしてメッセージを閲覧したり投稿したりする装置である。端末装置４００は、例えば、ネットワーク５００に接続可能なパーソナル・コンピュータ（ＰＣ）、いわゆるタブレット型端末装置、スマートフォン、その他の情報端末装置により実現される。上述したグループに属すユーザや一般ユーザは、自身の端末装置４００を用いてメッセージ交換サイトにアクセスする。
【００３６】
図４は、端末装置４００の機能構成を示す図である。端末装置４００は、制御部４０１と、送受信部４０２と、表示制御部４０３と、表示部４０４と、入力受け付け部４０５とを備える。
【００３７】
制御部４０１は、端末装置４００全体の動作を制御する。制御部４０１は、例えば、演算装置であるＣＰＵ（Central Processing Unit）と、ＣＰＵが実行するプログラムを格納したＲＯＭ（Read Only Memory）と、作業メモリとして用いられるＲＡＭ（Random Access Memory）とを備えて構成される。
【００３８】
送受信部４０２は、ネットワーク５００を介してサイト提供サーバ２００と接続し、データ交換を行うネットワーク・インターフェイスである。端末装置４００は、送受信部４０２により、サイト提供サーバ２００のメッセージ交換サイトにアクセスし、投稿されたメッセージを閲覧したり、所望のスレッドにメッセージを投稿したりする。
【００３９】
表示制御部４０３は、表示部４０４に表示する画面を制御する。表示制御部４０３は、送受信部４０２によりサイト提供サーバ２００から受信したメッセージ交換サイトの画面を表示部４０４に表示する。また、表示制御部４０３は、メッセージの作成や送信等の各種の操作を行うための操作画面を生成して表示部４０４に表示する。
【００４０】
表示部４０４は、表示制御部４０３の制御により各種の画面を表示する。表示部４０４は、例えば、液晶ディスプレイ等で実現される。
【００４１】
入力受け付け部４０５は、端末装置４００のユーザによる入力操作を受け付ける。入力受け付け部４０５は、ユーザが操作するための操作デバイスを備える。ユーザは、操作デバイスを操作することにより、メッセージ交換サイトの画面を表示するための操作や、表示部４０４に表示された操作画面に対する入力操作を行う。操作デバイスとしては、例えばキーボードやマウス、タッチパネル等が用いられる。
【００４２】
＜画面構成例＞
次に、サイト提供サーバ２００により提供されるメッセージ交換サイトの画面について説明する。メッセージ交換サイトの画面は、サイト提供サーバ２００において生成されるＷｅｂページであり、端末装置４００がメッセージ交換サイトから受信し、アプリケーション・ソフトウェア（ブラウザ）により表示部４０４に表示させる。
【００４３】
図５は、メッセージ交換サイトのホーム画面の構成例を示す図である。ホーム画面２２０には、設定されているスレッド２２１が示されている。スレッド２２１は、端末装置４００の操作により設定される他、上述したように設定条件を満足すると、サイト提供サーバ２００の機能（スレッド設定部２０６）によって自動設定される。サイト提供サーバ２００により自動設定されたスレッド２２１には、設定条件に係る事象を示すタイトルが表示される。例えば、特定の河川の水位が危険水位に達したという事象に基づいて設定されたスレッド２２１には、「〇〇川の水位が危険水位に到達」等のようなタイトルが表示される。
【００４４】
また、サイト提供サーバ２００により自動設定されたスレッド２２１には、位置情報抽出部２０５により抽出された、スレッド２２１の設定条件に関連する位置情報を提示するためのアイコン（以下、ポインタ・アイコン）２２２が表示される。ユーザがポインタ・アイコン２２２を選択すると、スレッド２２１の設定条件に関連する位置情報が提示される。具体的には、例えば、スレッド２２１の設定条件に関連する位置をポインタ２２３で指示した地図２２４が表示される。上記の河川の水位の例であれば、水位の測定場所を示す位置情報がポインタ２２３にて指示される。
【００４５】
図６は、メッセージ交換サイトのメッセージ表示画面の構成例を示す図である。メッセージ表示画面２３０は、ホーム画面２２０でユーザが所望するスレッド２２１を選択することにより表示される。図６は、サイト提供サーバ２００のスレッド設定部２０６によりスレッド２２１が自動設定された時点における、このスレッド２２１のメッセージ表示画面２３０である。図６に示すように、メッセージ表示画面２３０の初期状態では、メッセージ表示欄２３１に、設定条件に係る事象の内容を示す最初のメッセージと、スレッド２２１の設定条件に関連する位置情報を提示するためのポインタ・アイコン２３２とが表示される。ユーザがポインタ・アイコン２３２を選択すると、スレッド２２１においてポインタ・アイコン２２２を選択した場合と同様に、地図２２４等による位置情報の提示が行われる。
【００４６】
また、自動設定されたスレッド２２１に関連する情報取得装置１００としてのカメラがある場合、メッセージ表示欄２３１に、カメラにより撮影された画像を提示するためのアイコン（以下、カメラ・アイコン）２３３が表示される。ユーザがカメラ・アイコン２３３を選択すると、カメラにより撮影された画像が表示される。また、自動設定されたスレッド２２１に関連する情報取得装置１００としてのマイクロフォンがある場合、メッセージ表示欄２３１に、マイクロフォンにより収録された音声を提示するためのアイコン（以下、音声アイコン）２３４が表示される。ユーザが音声アイコン２３４を選択すると、収録された音声が再生される。
【００４７】
図７は、メッセージ交換サイトのメッセージ表示画面の他の例を示す図である。図７では、メッセージ表示画面２３０に、メッセージ投稿サーバ３００からメッセージの自動投稿が行われた様子が示されている。図７に示す例では、メッセージ表示欄２３１に７つのメッセージ２３１ａ〜２３１ｇが表示されているが、３番目に投稿されたメッセージ２３１ｃおよび７番目に投稿されたメッセージ２３１ｇがメッセージ投稿サーバ３００により自動投稿されたメッセージである。メッセージ投稿サーバ３００により自動投稿されたメッセージは、ユーザにより端末装置４００から投稿されたメッセージとは区別して表示される。図７に示す例では、自動投稿されたメッセージ２３１ｃ、２３１ｇは、メッセージ文が太字で表示されると共に、自動投稿であることを示すマーク（星印「☆」）が表示されている。
【００４８】
＜スレッド設定時の動作＞
図８は、サイト提供サーバ２００のスレッド設定時の動作を示すフローチャートである。サイト提供サーバ２００が情報取得装置１００から情報を受信すると、情報解析部２０４がスレッドの設定条件を満足するか否かを判断する（Ｓ８０１、Ｓ８０２）。スレッドの設定条件を満足する場合（Ｓ８０２でＹｅｓ）、位置情報抽出部２０５がスレッドの設定条件に関連する位置情報を抽出し（Ｓ８０３）、スレッド設定部２０６が設定条件に基づくスレッドを設定する（Ｓ８０４）。そして、通知部２１１が、グループ管理部２０２に管理されているグループの情報に基づいて通知先ユーザを特定し（Ｓ８０５）、特定した通知先ユーザに対し、スレッドが生成されたことを示す情報を通知する（Ｓ８０６）。情報取得装置１００から受信した情報によりスレッドの設定条件を満足しない場合（Ｓ８０２でＮｏ）、スレッドは自動生成されない。
【００４９】
以上のように、本実施形態によれば、情報取得装置１００により得られる情報がスレッドの設定条件を満足すると、サイト提供サーバ２００が、その設定条件に係る事象に関連するスレッドを自動設定する。これにより、災害における特定の事象に関して、見過ごされることなくメッセージ交換の場を提供することができる。また、本実施形態によれば、スレッドが自動設定されると、この設定条件に関連付けられたグループのユーザに対して通知が行われる。これにより、発生した事象に関連するユーザに対して、漏れなく事象が発生したことを報知することができる。
【００５０】
＜メッセージ自動投稿時の動作＞
図９は、メッセージ投稿サーバ３００によるメッセージの自動投稿時の動作を示すフローチャートである。メッセージ投稿サーバ３００が情報取得装置１００から情報を受信すると、情報受け付け部３０２が投稿メッセージの生成条件を満足するか否かを判断する（Ｓ９０１、Ｓ９０２）。生成条件を満足する場合（Ｓ９０２でＹｅｓ）、メッセージ生成部３０３が情報取得装置１００から受信した情報に基づくメッセージを生成する（Ｓ９０３）。そして、投稿制御部３０４が、サイト提供サーバ２００のメッセージ交換サイトへ、該当するスレッドを指定してメッセージを投稿する（Ｓ９０４）。サイト提供サーバ２００は、メッセージ投稿サーバ３００からメッセージの投稿を受け付けると、指定されたスレッドに、メッセージ投稿サーバ３００からの投稿メッセージに固有の表示態様で（端末装置４００からの投稿メッセージとは異なる表示態様で）メッセージを表示する。情報取得装置１００から受信した情報により設定条件を満足しない場合（Ｓ９０２でＮｏ）、スレッドは自動生成されない。
【００５１】
以上のように、本実施形態によれば、情報取得装置１００により得られる情報が予め定められた条件を満足すると、その情報を報知するための投稿メッセージが自動生成され、該当するスレッドに投稿される。これにより、災害における特定の事象に関連してスレッドが設定された後、その事象に関する状況の変化に応じて、随時、情報をユーザに報知することができる。また、メッセージ投稿サーバ３００により自動投稿されたメッセージと端末装置４００から投稿されたメッセージとを異なる表示態様で表示することにより、閲覧者がサーバによる投稿を容易に区別することができる。
【００５２】
以上、本実施形態について説明したが、本発明の技術的範囲は上記の実施形態には限定されない。例えば、本実施の形態では、サイト提供サーバ２００とメッセージ投稿サーバ３００とを別のサーバとして記載したが、メッセージ投稿サーバ３００の機能をサイト提供サーバ２００の機能として実装しても良い。また、サイト提供サーバ２００およびメッセージ投稿サーバ３００は、各々、単体のサーバとして構成しても良いし、各機能を複数のサーバマシンに分散させて実現しても良い。また、分散した機能の一部あるいは全部をいわゆるクラウド・システムとして構成しても良い。また、サイト提供サーバ２００が提供するメッセージ交換サイトは、グループに属すユーザおよび一般のユーザによるメッセージの投稿を受け付けることとしたが、グループに属すユーザの投稿のみを許し、一般のユーザは閲覧のみを許すような制御を行っても良い。その他、本発明の技術思想の範囲から逸脱しない様々な変更や構成の代替は、本発明に含まれる。
【符号の説明】
【００５３】
１０…災害報知システム、１００…情報取得装置、２００…サイト提供サーバ、２０１…サイト管理部、２０２…グループ管理部、２０３…送受信部、２０４…情報解析部、２０５…位置情報抽出部、２０６…スレッド設定部、２０７…メッセージ解析部、２０８…メッセージ管理部、２０９…事象関連情報取得部、２１０…リンク設定部、２１１…通知部、３００…メッセージ投稿サーバ、３０１…送受信部、３０２…情報受け付け部、３０３…メッセージ生成部、３０４…投稿制御部、４００…端末装置、４０１…制御部、４０２…送受信部、４０３…表示制御部、４０４…表示部、４０５…入力受け付け部、５００…ネットワーク
【図１】
2020046865.tif 000003
【図２】
2020046865.tif 000004
【図３】
2020046865.tif 000005
【図４】
2020046865.tif 000006
【図５】
2020046865.tif 000007
【図６】
2020046865.tif 000008
【図７】
2020046865.tif 000009
【図８】
2020046865.tif 000010
【図９】
2020046865.tif 000011